(57)【要約】本発明は改善された書き込み速度を提供する光書き込み装置に関する。処理手段（５０）において、エンコードされたデータ信号（NRZ）が処理され、第一のクロック発生器（５２）が二レベル・クロック信号（CLK）を生成する。さらに、デューティー・サイクル変調器（MOD）が、前記エンコードされたデータ信号（NRZ）に応答して、可能性としては複数の位相を用いて、前記クロック信号（CLK）を変調して前記クロック信号（CLK）のデューティー・サイクルを変化させる。結果として得られる単一の組み合わされたデータおよびクロック信号（NRZ_CLK）は光ピックアップユニット（OPU；２０）に出力される。光ピックアップ・ユニットにおいて、第二のクロック発生器が、前記組み合わされた信号（NRZ_CLK）から、取得されたクロック信号（CLKr）を抽出し、データ復調器（DEMOD；２３）が、前記取得されたクロック信号（CLKr）を使って前記エンコードされたデータ信号（NRZ）を抽出する。それにより、処理手段と光ピックアップ（OPU;２０）との間の通信において高速で信頼できる帯域幅が得られる。
2009541905.tif 000002
【特許請求の範囲】
【請求項１】
付随する光担体に情報を記録するための光記録装置であって：
・エンコードされたデータ信号を処理するよう構成された処理手段を有しており、
前記処理手段は：
・二レベル・クロック信号を生成することができる第一のクロック発生器と、
・前記エンコードされたデータ信号に応答して、前記クロック信号を変調して前記クロック信号のデューティー・サイクルを変化させ、単一の組み合わされたデータおよびクロック信号を出力するよう構成されたデューティー・サイクル変調器とを有し、
当該光記録装置はさらに
・前記組み合わされた信号を受領するために前記処理手段に動作可能に接続された、照射源および対応する駆動装置を有する光ピックアップ・ユニットを有しており、
前記駆動装置は：
・前記組み合わされた信号から、取得されたクロック信号を抽出できる第二のクロック発生器と、
・前記取得されたクロック信号を使って前記エンコードされたデータ信号を抽出できるデータ復調器とを有する、
装置。
【請求項２】
前記駆動装置が前記処理手段に、前記単一の組み合わされたデータおよびクロック信号を送信するよう構成された単一の電気伝導体手段を通じて、動作可能に接続される、請求項１記載の装置。
【請求項３】
前記駆動装置がさらに、前記エンコードされたデータ信号を再サンプリングして出力するよう構成された再サンプリング手段を有する、請求項１記載の装置。
【請求項４】
前記第二のクロック発生器が、前記二レベル・クロック信号を抽出するよう適応されている、請求項１記載の装置。
【請求項５】
前記データ復調器が複数の並列の復調サブユニットを有し、前記再サンプリング手段が対応する複数の再サンプリング・サブユニットを有していて、これらのサブユニットが集団として複数のエンコードされたデータ・チャネルを復調および再サンプリングするよう構成される、請求項３記載の装置。
【請求項６】
前記複数のエンコードされたデータ・チャネルの各エンコードされたデータ・チャネルは、前記二レベル・クロック周波数信号の別個の位相に割り当てられる、請求項４または５に記載の装置。
【請求項７】
前記二レベル・クロック信号が、該二レベル・クロック信号の立ち上がり端または立ち下がり端に対する位相変調によってデューティー・サイクル変調される、請求項１記載の装置。
【請求項８】
前記位相変調が、前記再サンプリング手段によって実行される再サンプリングを最適化するよう選ばれる、請求項３または７記載の装置。
【請求項９】
前記位相変調を最適化するために較正手順を実行するようさらに適応されている、請求項８記載の装置。
【請求項１０】
前記クロック信号を変調する際に複数の位相が適用される、請求項１または７記載の装置。
【請求項１１】
当該光記録装置が定角速度（CAV）モードで動作されるよう構成されている、請求項１記載の装置。
【請求項１２】
光担体に情報を記録するための付随する光記録装置を制御するよう適応され、エンコードされたデータ信号を処理するよう構成された処理手段であって：
・二レベル・クロック信号を生成することができる第一のクロック発生器と、
・前記エンコードされたデータ信号に応答して、前記クロック信号を変調して前記クロック信号のデューティー・サイクルを変化させ、前記関連する光記録装置の光ピックアップ・ユニットへの伝送のために意図された単一の組み合わされたデータおよびクロック信号を出力するよう構成されたデューティー・サイクル変調器とを有する、手段。
【請求項１３】
光担体に情報を記録するための光記録装置を動作させる方法であって：
・処理手段によって、エンコードされたデータ信号を処理する段階と、
・第一のクロック発生器によって、二レベル・クロック信号を生成する段階と、
・デューティー・サイクル変調器によって、前記エンコードされたデータ信号に応答して、前記クロック信号を変調して前記クロック信号のデューティー・サイクルを変化させ、単一の組み合わされたデータおよびクロック信号を出力する段階と、
・第二のクロック発生器によって、前記組み合わされた信号から、取得されたクロック信号を抽出し、ここで、前記第二のクロック発生器は、前記組み合わされた信号を受領するために前記処理手段に動作可能に接続された、照射源および対応する駆動装置を有する光ピックアップ・ユニット内に位置されており、
・データ復調器によって、前記取得されたクロック信号を使って前記エンコードされたデータ信号を抽出する段階とを有する、
方法。
【請求項１４】
付随するデータ記憶手段をもつ少なくとも一つのコンピュータを有するコンピュータ・システムが請求項１３記載に従って光記録装置を制御できるようにするよう適応されたコンピュータ・プログラム。
【発明の詳細な説明】
【技術分野】
【０００１】
本発明は、光記録装置、光記録装置を制御する対応する処理手段および光記録装置を動作させる対応する方法に関する。より詳細には、本発明は光記録装置のための改善された書き込み速度を提供する。
【背景技術】
【０００２】
光記録ドライブは通常、光ディスクに対して対向し、近接した関係で位置する変位可能な光ピックアップ・ユニット（OPU:  optical  pick-up  unit）をもつ。OPUは次いで、当技術分野で「フレックス（flex）」または「フレックス・ケーブル（flex  cable）」とも呼ばれる柔軟な信号伝送経路セクションを介して中央デジタル信号プロセッサ（DSP:  digital  signal  processor）に接続される。前記経路セクションは二つのフィルムの間にサンドイッチされた複数の平坦な伝導線（flat  conducting  lines）または集合被覆柔軟導線（collected  coated  flexible  wire）のセットでありうる。フレックスは、OPUをDSPに接続されたままに保持しつつ、同時にOPUの十分な変位を許容する。DSP（または同様のユニット）はOPUの動作を制御し、OPUにエンコードされたデータおよびクロッキング信号を供給する。たとえば米国特許出願第2004/033814号を参照。
【０００３】
光ピックアップ・ユニット（OPU）内では、レーザーが書き込みのために位置され、それにより、光ディスクまたは担体の光学的記録の間、書き換え可能媒体については、光ディスクまたは担体に書き込まれるべきデータに依存して相変化材料を選択的に結晶化させ、あるいは非晶質にするようレーザー・ビームが加えられる。同様に、ライトワンス媒体については、（色素）材料を変質させる／焼き去る／変形させるまたはそうしないことを、光ディスクまたは担体に書き込まれるべきデータに依存して選択的に行うようレーザー・ビームが加えられる。
【０００４】
レーザーは、チャネル・レート自身よりも高い周波数成分を含むパルス形を使うことによって駆動される。これは、エンコードされたデータに応答して所与の長さで「マーク」または「スペース」を書き込む目的をもつ多レベル・パルス（multi-level  pulse）の形をもつ。非零復帰（NRZ:  no-return-to-zero）、代替的には8to14変調された（EFM:  eight-to-fourteen  modulated）データとしても知られるエンコードされたデータからより高い時間解像度および複数出力レベル（multiple  power  levels）をもつパルス列への変換は、OPU上に位置されるいわゆる書き込み方針発生器（WSG:  write  strategy  generator）によって実行される。
【０００５】
光ディスク、特にブルーレイ・ディスク（BD）への書き込み速度を上げる現在の趨勢では、エンコードされたデータおよびクロッキング信号のDSPからOPUへの並列伝送が上限に近づいている。これは、帯域幅、フレックスの負荷およびフレックス内のわずかな長さの差が、伝送されるデータおよび／またはクロック信号におけるさまざまな周波数依存の信号伝搬遅延につながるからである。フレックス負荷は、フレックスの物理的な位置にも依存し、フレックスの物理的な位置はOPUがディスク直径の内側と外側の間で動くにつれて変化する。さらに、エンコードされたデータは、クロッキング信号に対して信頼できるセットアップおよび保持時間を必要とする。推定によれば、BDの７倍速書き込み速度（466MHz/2.2ナノ秒）がそのような上限を表している。
【０００６】
フレックスによって課される制約条件を軽減し、それにより光ドライブの書き込み速度を上げる解決策が本願と同じ出願人へのWO2005/001829に開示されている。WO2005/001829はここにその全体において参照によって援用される。データ情報およびクロック情報を含む信号は一つの共通転送経路、すなわちエンコーダからOPUへのフレックスおよび対応するドライバ回路を通じて転送される。ドライバ回路は、エンコーダから受領された単一のエンコードされた信号からデジタル・データ信号およびデジタル・クロック信号を生成するよう構成されている。組み合わされた信号を得る二つの異なる方法がWO2005/001829に開示されている。
【０００７】
第一実施形態では、エンコードされたデータ信号そのものがOPUに伝送され、OPUにおいてクロック再生手段、たとえばPLLデバイスが、データ信号からクロッキング信号を取得するよう構成される。しかしながら、これは、チャネル・クロック周波数信号が、比較的精度が低いデータ信号から取得されなければならず、追加的な回路を必要とするという欠点を有する。
【０００８】
WO2005/001829の第二実施形態では、エンコードされたデータ信号が多重化手段によってクロッキング信号と組み合わされる。具体的には、組み合わされた信号は３または４レベル・ベースの信号でありうる。受信側では、データおよびクロック信号を再び抽出する多重分離手段が設けられる。しかしながら、マルチレベル多重分離を導入することによっては、標準的な差動二レベル信号接続（differential  two-level  signal  connection）（たとえば低電圧差動信号伝達（LVDS:  low-voltage  differential  signalling））を適用することは現実的ではない。これはこれでOPUの設計を複雑にする。
【０００９】
よって、改善された光記録装置が有利であろう。特に、より効率的なおよび／またはより信頼できる光記録装置が有利であろう。
【発明の開示】
【発明が解決しようとする課題】
【００１０】
そこで、本発明は、好ましくは、上述した欠点の一つまたは複数を単独で、あるいは任意の組み合わせにおいて緩和、軽減または解消することを追求する。具体的には、光担体への書き込み速度を上げる従来技術の上述した問題を解決する光記録装置を提供することが本発明の目的と見てもよい。
【課題を解決するための手段】
【００１１】
この目的およびいくつかの他の目的は、本発明の第一の側面において、付随する光担体に情報を記録するための光記録装置であって：
・エンコードされたデータ信号（NRZ）を処理するよう構成された処理手段を有しており、
前記処理手段は：
・二レベル・クロック信号（CLK）を生成することができる第一のクロック発生器と、
・前記エンコードされたデータ信号（NRZ）に応答して、前記クロック信号（CLK）を変調して前記クロック信号のデューティー・サイクルを変化させ、単一の組み合わされたデータおよびクロック信号（NRZ_CLK）を出力するよう構成されたデューティー・サイクル変調器と、
・前記組み合わされた信号（NRZ_CLK）を受領するために前記処理手段に動作可能に接続された、照射源および対応する駆動装置（LDD）を有する光ピックアップ・ユニット（OPU）とを有しており、
前記駆動装置は：
・前記組み合わされた信号（NRZ_CLK）から取得された（retrieved）クロック信号（CLKr）を抽出できる第二のクロック発生器と、
・前記取得されたクロック信号（CLKr）を使って前記エンコードされたデータ信号（NRZ）を抽出できるデータ復調器とを有する、
装置を提供することによって達成される。
【００１２】
本発明は特に、排他的にではないが、光記録装置の処理手段と光処理装置の光ピックアップ（OPU）との間の通信において高速で信頼できる帯域幅をもつことができる光ドライブまたは光記録装置を得るために有利である。特に、ブルーレイ・ディスク・システムにおいて情報を書き込むためには、本発明は、従来技術でこれまで知られていた解決策に対してよりすぐれた解決策を提供する。本発明は、12倍速BD以上の書き込みに向けた重要な一里塚と考えられる。クロックおよびデータ伝送のための単一の非同期的な解決策の性質は、現在の光記録システムにおいて通常適用されている並列の同期的な解決策に対して一連の利点を提供する。WO2005/001829は光ピックアップ・ユニット（OPU）へのクロックおよびデータ伝送のための代替的な単一の非同期的な解決策を示唆しているものの、その開示の解決策は、上で論じたようなWO2005/001829の比較的複雑なおよび／または精度の低い実施形態のため、クロックおよびデータ伝送のための単一の非同期的な解決策の完全な潜在力を得るものではない。
【００１３】
本発明のある実施形態では、駆動装置（LDD）は前記処理手段に、単一の組み合わされたデータおよびクロック信号（NRZ_CLK）を送信するよう構成された単一の電気伝導体手段を通じて動作可能に接続されうる。こうして、単一の信号が共通の転送経路において一つの接続をもつことができる。しかしながら、他の制御信号がフレックス中で伝送されてもよい。
【００１４】
ある有利な実施形態では、駆動装置（LDD）はさらに、抽出されたデータの品質を改善するためにエンコードされたデータ信号（NRZ）を再サンプリングして出力するよう構成された再サンプリング手段を有していてもよい。抽出されたデータをさらに改善するために、第二のクロック発生器が、二レベル・クロック信号（CLK）を抽出するよう適応されていてもよい。こうして、取得されたクロック信号（CLKr）は二レベル・クロック信号（CLK）と等しくなりうる。これは、位相ロック・ループ（PLL）検出回路または同様の電子手段によって実行されることができる。
【００１５】
別の実施形態では、OPU中のデータ復調器は複数の並列復調サブユニットを有していてもよく、再サンプリング手段は対応する複数の再サンプリング・サブユニットを有していて、これらのサブユニットが集団として複数（m）のエンコードされたデータ・チャネルを復調および再サンプリングするよう構成される。さらに、前記複数（m）のエンコードされたデータ・チャネルのエンコードされた各データ・チャネルは、二レベル・クロック周波数信号（CLK）の別個の位相に割り当てられてもよい。これは、普通に可能であるより低い周波数でのOPU中での並列処理を許容する。さらに、OPU中の書き込み方針発生器は、はいってくるエンコードされたデータの並列処理のために適応されるべきである。
【００１６】
好ましくは、二レベル・クロック信号（CLK）は、二レベル・クロック信号（CLK）の立ち上がり端または立ち下がり端に対する位相変調によってデューティー・サイクル変調されてもよい。こうして、立ち上がり端は未変調信号に対して固定されていてもよく、一方、減衰端はデータ信号に応じてシフトされてもよい。これは、未変調の立ち上がり端からの良好なクロック信号検出を保証しうる。有利には、位相変調は、再サンプリング手段によって実行される再サンプリングを最適化するよう選ばれうる。可能性としては、再サンプリングを最適化するための前記位相変調は、書き込み自身に先立つ較正手順の間に、あるいは書き込み中の中断時の間に実行されうる。
【００１７】
本発明のきわめて有利な実施形態では、複数の位相が前記クロック信号（CLK）を変調することにおいて適用される。最も単純な場合では、同じ絶対値だが逆符号の二つの位相がデータ信号（NRZ）の二つの値、たとえば高および低に応答して適用されることができる。しかしながら、本発明は、クロック信号（CLK）をデータ信号（NRZ）に応じて変調するために３、４、５、６およびそれ以上の異なる位相を使うことに容易に拡張されうる。こうして、データ信号（NRZ）は、対応する数の位相によって表される多レベル信号であることができる。代替的または追加的に、一つの位相値がデータ値の所定のセットを表しうる。十分な数の利用可能な位相をもつことによって、変調またはエンコードが実行されることができる。
【００１８】
本発明に基づく光記録装置は、定角速度（CAV:  constant  angular  velocity）モードで有益に動作されうる。これは本発明では周波数スケーリングが本来的だからである。
【００１９】
第二の側面では、本発明は、光担体に情報を記録するための付随する光記録装置を制御するよう適応され、エンコードされたデータ信号を処理するよう構成された処理手段であって：
・二レベル・クロック信号（CLK）を生成することができる第一のクロック発生器と、
・前記エンコードされたデータ信号（NRZ）に応答して、前記クロック信号（CLK）を変調して前記クロック信号（CLK）のデューティー・サイクルを変化させ、前記光記録装置の付随する光ピックアップ・ユニット（OPU）への伝送のために意図された単一の組み合わされたデータおよびクロック信号（NRZ_CLK）を出力するよう構成されたデューティー・サイクル変調器とを有する手段に関する。
【００２０】
第三の側面では、本発明は、光担体に情報を記録するための光記録装置を動作させる方法であって：
・処理手段によって、エンコードされたデータ信号（NRZ）を処理する段階と、
・第一のクロック発生器によって、二レベル・クロック信号（CLK）を生成する段階と、
・デューティー・サイクル変調器によって、前記エンコードされたデータ信号（NRZ）に応答して、前記クロック信号（CLK）を変調して前記クロック信号（CLK）のデューティー・サイクルを変化させ、単一の組み合わされたデータおよびクロック信号（NRZ_CLK）を出力する段階と、
・第二のクロック発生器によって、前記組み合わされた信号（NRZ_CLK）から取得された（retrieved）クロック信号（CLKr）を抽出し、ここで、前記第二のクロック発生器は、前記組み合わされた信号（NRZ_CLK）を受領するために前記処理手段に動作可能に接続された、照射源および対応する駆動装置（LDD）を有する光ピックアップ・ユニット（OPU）内に位置されており、
・データ復調器によって、前記取得されたクロック信号（CLKr）を使って前記エンコードされたデータ信号（NRZ）を抽出する段階とを有する、
方法に関する。
【００２１】
第四の側面では、本発明は、関連付けられたデータ記憶手段をもつ少なくとも一つのコンピュータを有するコンピュータ・システムが本発明の前記第三の側面に基づいて光記録装置を制御できるようにするよう適応されたコンピュータ・プログラム・プロダクトに関する。
【００２２】
本発明のこの側面は、排他的にではないが特に、コンピュータ・システムが本発明の前記第二の側面の動作を実行できるようにするコンピュータ・プログラム・プロダクトによって本発明が実装されうるという点で有利である。よって、いくつかの既知の光記録装置が、該光記録装置を制御するコンピュータ・システム上にコンピュータ・プログラム・プロダクトをインストールすることによって、本発明に従って動作するよう変更されうることが考えられている。そのようなコンピュータ・プログラム・プロダクトは、任意の種類のコンピュータ可読媒体、たとえば磁気ベースまたは光学ベースの媒体上で、あるいはコンピュータ・ベースのネットワーク、たとえばインターネットを通じて、提供されうる。
【００２３】
本発明の第一、第二、第三および第四の側面はそれぞれ他の側面のどれと結合されてもよい。本発明のこれらおよび他の側面は、以下に記載される実施形態を参照することから明白であり、明快にされるであろう。
【００２４】
本発明についてこれから、あくまでも例として、付属の図面を参照しつつ説明する。
【発明を実施するための最良の形態】
【００２５】
図１は、本発明に基づく、光記録装置もしくはドライブおよび光情報担体１を示している。担体１は固定されており、保持手段３０によって回転される。
【００２６】
担体１は、放射ビーム５によって情報を記録するために好適な材料を有する。記録材料は、たとえば、光磁気型、相変化型、色素型、Cu/Siのような合金型または他のいかなる好適な材料でもよい。情報は、書き換え可能媒体については「マーク」、ライトワンス媒体については「ピット」とも呼ばれる光学的に検出可能な効果として、光担体１上に記録されうる。
【００２７】
本光装置、すなわち光ドライブは、時に光ピックアップ・ユニット（OPU）とも呼ばれる光ヘッド２０を有する。光ヘッド２０は、アクチュエーション手段２１、たとえば電気的なステップモーターによって変位可能である。光ヘッド２０は、光検出システム１０、レーザー・ドライバ装置３０、放射源４、ビーム・スプリッター６、対物レンズ７およびレンズ７を担体１の動径方向および焦点方向に変位させることのできるレンズ変位手段９を有する。
【００２８】
光検出システム１０の機能は、担体１から反射された放射８を電気信号に変換することである。こうして、光検出システム１０は、一つまたは複数の電気出力信号を生成できるいくつかの光検出器、たとえばフォトダイオード、電荷結合素子（CCD）などを有する。光検出器は、エラー信号、すなわち焦点誤差（focus  error）FEおよび動径方向トラッキング誤差（radial  tracking  error）REの検出を可能にするよう、互いに対して空間的に配列されており、十分な時間解像度をもつ。焦点誤差FEおよび動径方向トラッキング誤差REはプロセッサ５０に伝送され、プロセッサ５０では、PID制御手段（proportional-integrate-differentiate［比例‐積分‐差分］）を使うことによって動作される一般に知られているサーボ機構が、担体１上の放射ビーム５の動径方向位置および焦点位置を制御するために適用される。
【００２９】
放射ビームまたは光ビーム５を放出するための放射源４は、たとえば、可変出力をもつ、可能性としては可変波長ももつ放射の半導体レーザーであることができる。あるいはまた、放射源４は二つ以上のレーザーを有していてもよい。本発明のコンテキストでは、用語「光」は、可視光、紫外光（UV）、赤外光（IR）などといった光記録および／または再生に好適ないかなる種類の電磁放射をも含むものと考えられる。
【００３０】
放射源４は、レーザー・ドライバ・デバイス（LD）２２によって制御される。レーザー・ドライバ（LD）２２は、プロセッサ５０から共通転送経路４０、すなわちフレックスを通じて伝送された単一の組み合わされたデータおよびクロック信号NRZ_CLKに応答して、放射源４に駆動電流を与える電子回路手段（図１には示さず）を有する。
【００３１】
プロセッサ５０はまた、共通転送経路４０を通じて光検出手段１０からの信号を受信し、解析もする。プロセッサ５０はまた、図１に概略的に示されるように、アクチュエーション手段２１、放射源４、レンズ変位手段９および回転手段３０への制御信号をも出力することができる。同様に、プロセッサ５０は、６１で示される書き込まれるべきデータを受領でき、６０で示される読み取りプロセスからのデータを出力しうる。図１ではプロセッサ５０は単一のユニットとして描かれたが、プロセッサ５０は、光記録装置内に位置する複数の相互接続された処理ユニットであってもよいことは理解されるものとする。可能性としては一部のユニットが光ヘッド２０内に位置してもよい。
【００３２】
図２は、処理手段５０、光ピックアップ・ユニット（OPU）２０および処理手段５０と光ピックアップ・ユニット（OPU）２０をつなぐ柔軟な伝送経路４０（「フレックス」）をより詳細に示す概略図である。
【００３３】
処理手段５０は光担体１上に書き込まれるべきデータ６１（図２には示さず）を受領する。データは最初に通常のエンコーダ５３によってエンコードされる。エンコードは、担体１の適切なフォーマットに基づいて実行される。
【００３４】
コンパクトディスク（CD）フォーマット、デジタル多用途ディスク（DVD）およびブルーレイ・ディスク（BD）といったさまざまな担体フォーマットでのデータ記録が、標準的なエンコード方式に従ってデータ６１をエンコードして、書き込みのために光ヘッド２０に伝送されるべきNRZ信号を得ることによって実行される。下記の表において、対応する担体フォーマットおよびエンコード方式が挙げられている：
【００３５】
【表１】
2009541905.tif 000003
EFMは、8to14変調に対する普通に知られている略語である。PPはpartial  product（部分積）の略である。本発明は上掲の担体フォーマットに限定されない。むしろ、本発明は、光担体一般において高い書き込み速度を得るために特に好適である。
【００３６】
処理手段５０は、少なくともいくつかのサブ領域においておよび／またはいくつかの手順のためには、チャネル・クロック周波数またはその派生物（たとえばチャネル・クロック周波数の半分または４分の１）によって与えられるクロック周波数で動作させられる。たとえば１倍速で書き込まれるブルーレイ・ディスク（BD）について、この周波数は約66MHzである。２倍速書き込みについては、132MHzである、などとなる。本発明に基づくクロック発生手段５２によって生成されるクロック信号CLKは、有利には、前記チャネル・クロック周波数に関係しているまたはそれから導出されうるが、そうである必要はない。信号CLKはチャネル・クロック周波数からたとえば周波数分割によって導出されてもよい。よって、信号CLKの周波数かける整数n（または可能性としては非整数の定数）が、チャネル・クロック周波数に実質的に等しいことができる。より特定的には、整数nは2,3,4,5,6,7,8,9,10,11,12,13,14,15,16,17,18,19もしくは20またはそれ以上であることができる。その観点で、用語「クロック発生器」の意味は、周波数分割器または同様の回路を含むものと解釈されうる。
【００３７】
クロック信号CLKの周波数は、たとえば、ブルーレイ・ディスク（BD）書き込みについては、50〜500MHzまたは100〜400MHzまたは代替的に200〜300MHzの区間内であってもよい。クロック信号CLKの周波数は、別の実施形態では、1000MHz,900MHz,800MHz,700MHz,600MHz,500MHz,400MHz,350MHz,300MHz,250MHz,150MHzまたは100MHzの最大に制限されることができる。特に、クロック信号CLKおよび／または組み合わされた信号NRZ_CLKの周波数は、OPU２０への十分ゆがみの少ない伝送を得るために、フレックス４０の周波数帯域幅より低く設定されることができる。現在のフレックス・ケーブル技術では、この制限は150MHzから200MHz周辺である。
【００３８】
変調器（modulator）MODが、クロック信号CLKをエンコードされたデータ信号NRZでデューティー・サイクル変調して、それにより前記クロック信号CLKのデューティー・サイクルを変化させ、単一の組み合わされたデータおよびクロック信号NRZ_CLKを出力するよう較正される。これは、位相変調器またはいったん本発明の原理が認識されたら当業者に容易に利用可能な他の変調手段によってなされることができる。
【００３９】
デューティー・サイクルは、少なくとも長方形パルスの理想パルスについては、パルス継続時間（pulse  duration）のパルス期間（pulse  period）に対する比として定義されてもよい。たとえば、パルス継続時間が10ナノ秒でパルス期間が40ナノ秒であるパルス列については、デューティー・サイクルは40%である。
【００４０】
図３は、位相変調器MODを使ってどのようにしてクロック信号CLKがエンコードされたデータ信号（NRZ）を用いて変調されて単一の組み合わされた信号NRZ_CLKを生じるかを示す図である。図３では、単一の長方形の二レベル・クロック・パルスCLKが位相変調器において入力される。NRZデータ信号に応答して、NRZデータ信号が高（NRZ＝1）のときは組み合わされた信号NRZ_CLKのデューティー・サイクルが上げられ、一方、NRZデータ信号が低（NRZ＝0）のときはデューティー・サイクルが下げられる。
【００４１】
図３の下部では、デューティー・サイクル変調された信号NRZ_CLKが変調されていないクロック信号CLKと比較される。図３の変調実施形態が、NRZデータ信号に応答して変調された信号NRZ_CLKの立ち下がり端を変えていることが見て取れる。よって、NRZ＝1については、立ち下がり端は位相ph(1)シフトされ、NRZ＝0については、立ち下がり端は位相(−1)シフトされる。
【００４２】
二つの位相ph(−1)およびph(1)は、絶対値が等しくてもよく、異なっていてもよい。同様に、位相変調は、図３の実施形態に示されているようなクロック信号CLKの立ち下がり端の代わりに立ち上がり端に対して実行されてもよい。さらに、立ち下がり端および立ち上がり端の両方が、NRZデータ信号に応答して位相変調されてもよい。しかしながら、受信側すなわちOPU２０での安定したクロック検出のためには、堅牢なクロック検出を容易にするために一方のエッジはNRZデータ信号に応答して変調されないことが好ましい。これについてはのちにより詳細に説明する。
【００４３】
図３では、データ信号NRZは二つのレベル、すなわちNRZ＝1の「高」およびNRZ＝0「低」を有する。しかしながら、本発明のある実施形態では、複数レベルのデータ信号（図３には示さず）をエンコードすることが、クロック信号CLKを対応する数の位相を用いて位相変調することによって可能である。こうして、３または４レベルのデータ信号については、クロック信号CLKはそれぞれ３または４つの異なる位相をもって位相変調された立ち下がり端をもっていてもよい。
【００４４】
本発明のもう一つの実施形態では、同時に位相の数を増やしながら、クロック信号CLKの周波数が下げられることができる。こうして、二レベル・クロック信号CLKの周波数を下げ、対応して位相の数を増やすことによって、組み合わされた信号NRZ_CLKの情報内容が維持されることができ、可能性としては増やされることさえできる。よって、一つの位相値がデータ値の所定の組を表してもよく、十分な数の利用可能な位相をもつことによって、変調またはエンコードが実行されることができる。
【００４５】
図２に示されるように、前記単一の組み合わされた信号NRZ_CLKは光ピックアップ・ユニット（OPU）２０に伝送される。ユニット２０は、放射源４と、前記組み合わされた信号NRZ_CLKを共通転送経路４０、すなわちフレックスを通じて受信するよう処理手段５０に動作可能に接続された対応する駆動装置（LDD）２２とを有する。ここで、単一の電気伝導体手段６５が、前記単一の組み合わされた信号NRZ_CLKを伝送するよう構成される。この実施形態では、たった一つの接続６５がフレックス中に示されているのみであるが、図１の記載との関連で上に説明したように、経路４０において他の制御信号も伝送されてもよい。電気伝導体手段６５は差動二レベル信号接続、たとえばLVDS接続などであることができ、あるいは周波数要件および必要とされる電磁遮蔽（EMC）に依存して、シリアル接続であることができる。
【００４６】
駆動装置（LDD）２２は、組み合わされた信号NRZ_CLKから取得されたクロック信号CLKrを抽出できる第二のクロック発生器２４と、前記取得されたクロック信号CLKrを使ってエンコードされたデータ信号NRZを抽出できるデータ復調器２３とを有する。図２では、取得されたクロック信号CLKrは第二のクロック発生器２４から復調器２３に伝送されるものとして示されている。エンコードされたデータ信号NRZは次いで処理され、たとえば書き込み方針の適用によって照射源４を制御するために使われる。これについては図４との関連で以下により詳細に説明する。
【００４７】
図４は、概略的に、光ピックアップ・ユニット（OPU）２０のある実施形態を示している。光ピックアップ・ユニット（OPU）２０では、第二のクロック発生器２４が取得されたクロック信号CLKrを、実質的にクロック信号CLKを再び抽出するよう適応された位相ロック・ループ回路（PLL）２５に伝送する。第二のクロック発生器２４は、零レベル比較器、中間レベル比較器または同様の回路であることができる。
【００４８】
回路２５からのクロック信号CLKは、復調器２３によって、エンコードされた信号NRZを抽出するために適用される。好ましくは、クロック信号CLKは、復調のために逆位相で適用される。必要なら、データ信号NRZはタイミングを直されて（retimed）通常のクロック領域に戻される。
【００４９】
データ復調は、いったん本発明の一般的な原理が認識されたら当業者に容易に利用可能な多くの異なる方法で実行できる。ある実施形態では、PLL回路２５からの取得されたクロック信号CLKのデューティー・サイクルは実質的に50%である。図３に示されているような立ち下がり端が位相変調され、立ち上がり端がクロック決定のために使われる位相変調方式では、次いで、PLLのクロック位相がNRZ＝1とNRZ＝0の位相の間の中間になるよう、二つの位相ph(1)およびph(-)が選ばれてもよい。これは、前記組み合わされた信号NRZ_CLKのデューティー・サイクルがデータ信号NRZに応答して25%から75%までの間で変わる（alternating）ことにつながる。
【００５０】
さらに、NRZデータ信号は再サンプリング手段２７に伝送される。再サンプリング手段２７では、位相ロック・ループ（PLL）回路２５から再サンプリング手段２７が受信した主クロック信号CLKを使って再サンプリングすることによって、NRZデータ信号はさらに最適化される。再サンプリングは、たとえば（本願と同じ出願人への）WO2005/001829に示されるようなたとえばフリップフロップ・デバイスによって実行されることができる。WO2005/001829は参照によりその全体においてここに組み込まれる。再サンプリングは、信号および／または振幅をオフセットし、続いて信号をクリッピング（clipping）またはボトミング（bottoming）することを含むことができる。その後、再サンプリングされたNRZデータ信号は、照射源４への対応する書き込みパルス列の処理のために、書き込み方針発生器（WSG）２６に送られる。
【００５１】
再サンプリング手段２７によって実行される再サンプリングは、二つの位相ph(−1)およびph(＋1)の位相変調に応答して最適化できる。ある最適化実施形態では、位相変調は前記二つの位相ph(−1)およびph(＋1)の少なくとも一つを、再サンプリングデータ信号NRZにおいて位相ジャンプが見られるまで変え、次いで望ましくない位相ジャンプまでの可能な最高の位相距離を得るためにその位相に180度を加えることによって実行できる。さらに、光ドライブは、結果として得られる再サンプリングされたデータ信号NRZに関して位相変調を最適化するよう、そのような較正手順を実行するよう適応されることができる。この較正は、書き込みプロセスに先立って、あるいは書き込みプロセスの中断の間に実行できる。BDまたはBD様書き込みについては、前記較正は、書き込みのランイン（run-in）またはランアウト（run-out）の間に実行できる。
【００５２】
図４に示されていない本発明のある実施形態では、データ復調器２３は複数の並列復調サブユニットを有し、再サンプリング手段２７は対応する複数の再サンプリング・サブユニットを有し、両方の型のサブユニットはまとめて、複数mのエンコードされたデータ・チャネルを復調および再サンプリングするよう構成される。こうして、データ復調器２３は追加的にデマルチプレクサとして機能できる。有利には、前記複数mのエンコードされたデータ・チャネルの各エンコードされたデータ・チャネルは、主クロック周波数CLKの別個の位相に割り当てられる。これは、OPU２０における、主クロック信号CLKの周波数より低い周波数での並列処理を許容する。よって、書き込み方針発生器２６は、並列m個のデータ・チャネルに編成されたはいってくるNRZデータ・ストリームを処理するために適応されている。
【００５３】
図５は、本発明に基づく方法のフローチャートである。本方法は：
S1  処理手段５０によって、エンコードされたデータ信号（NRZ）を処理する
S2  第一のクロック発生器５２によって、二レベル・クロック信号CLKを生成する
S3  デューティー・サイクル変調器MODによって、前記エンコードされたデータ信号NRZに応答して前記クロック信号CLKを変調して前記クロック信号CLKのデューティー・サイクルを変化させ、単一の組み合わされたデータおよびクロック信号NRZ_CLKを出力する
S4  第二のクロック発生器２４によって、前記組み合わされた信号NRZ_CLKから取得されたクロック信号CLKrを抽出し、ここで、前記第二のクロック発生器は、前記組み合わされた信号（NRZ_CLK）を受領するために前記処理手段に動作可能に接続された、照射源（４）および対応する駆動装置（LDD）２２を有する光ピックアップ・ユニット（OPU）２０内に位置されている
S5  データ復調器（DEMOD）２３によって、前記取得されたクロック信号CLKrを使って前記エンコードされたデータ信号NRZを抽出する。
【００５４】
本発明は、個別的な実施形態との関連で記載されてきたが、本発明は本稿に記載された個別的な形に限定されることは意図されていない。むしろ、本発明の範囲は付属の請求項によってのみ限定される。請求項において、「有する」の語は他の要素またはステップの存在を排除しない。さらに、個別的な特徴が異なる請求項に含まれているかもしれないが、それらの特徴は可能性としては有利に組み合わされうるのであって、異なる請求項に含まれているということは特徴の組み合わせが現実的でないおよび／または有利でないことを含意するものではない。さらに、単数形での言及は複数を排除しない。よって、「ある」「第一」「第二」などといった言及は、複数を除外しない。さらに、請求項に参照符号があっても、特許請求の範囲を限定するものと解釈してはならない。
【図面の簡単な説明】
【００５５】
【図１】本発明に基づく光記録装置またはドライブおよび光情報担体を概略的に示す図である。
【図２】本発明に基づく、処理手段、光ピックアップ・ユニット（OPU）および処理手段と光ピックアップ・ユニット（OPU）をつなぐ柔軟な伝送経路を概略的に示す図である。
【図３】本発明に基づいて、どのようにしてクロック信号がエンコードされたデータ信号（NRZ）でデューティー・サイクル変調されて単一の組み合わされた信号を生じるかを示す図である。
【図４】本発明に基づく光ピックアップ・ユニット（OPU）のある実施形態を概略的に示す図である。
【図５】本発明に基づく方法のフローチャートである。
【図１】
2009541905.tif 000004
【図２】
2009541905.tif 000005
【図３】
2009541905.tif 000006
【図４】
2009541905.tif 000007
【図５】
2009541905.tif 000008
【国際調査報告】
2009541905.tif 000009
2009541905.tif 000010
2009541905.tif 000011